(57)【要約】【課題】容器本体の上部開口部から物を出し入れする際に取り外した蓋体の置き場に困らない扱い易い収納容器の提供。【解決手段】上部開口部１を有する容器本体２と、上部開口部１を開閉する蓋体３とから成り、蓋体３の裏面に、蓋体３の短辺方向若しくは長辺方向に延設された板状の補強リブ部４・５が前記延設方向と直交する蓋体３の長辺方向若しくは短辺方向に複数並設された収納容器であって、容器本体２の上部開口部１の四つの隅部10に補強リブ部４・５の側面部が載置された際に滑り止め作用を付与する容器本体２とは別部材の滑止部材６を付設し、蓋体３の裏面の補強リブ部４・５を滑止部材６が付設された上部開口部１に掛け止めることで、蓋体３を容器本体２の接地面から浮かせ且つその裏面を内側に向けた浮上状態で容器本体２に立て掛けられるように構成する。【選択図】図３
2020142818.tif 000002
【特許請求の範囲】
【請求項１】
上部開口部を有する容器本体と、前記容器本体に着脱自在に取り付けられ前記上部開口部を開閉する蓋体とから成り、前記蓋体の裏面に、前記蓋体の短辺方向若しくは長辺方向に延設された板状の補強リブ部が前記延設方向と直交する前記蓋体の長辺方向若しくは短辺方向に複数並設され、前記上部開口部を開放するために取り外した前記蓋体のいずれかの前記補強リブ部の側面部を前記容器本体の上部開口部に掛け止めることで、前記蓋体を前記容器本体に立て掛けられるように構成された収納容器であって、前記容器本体の上部開口部の四つの隅部の少なくともいずれか一箇所には、前記補強リブ部の側面部が載置された際に滑り止め作用を付与する前記容器本体とは別部材の滑止部材が付設されており、前記蓋体の裏面の前記補強リブ部を前記滑止部材が付設された前記上部開口部に掛け止めることで、前記蓋体を前記容器本体の接地面から浮かせ且つその裏面を内側に向けた浮上状態で前記容器本体に立て掛けられるように構成されていることを特徴とする収納容器。
【請求項２】
請求項１記載の収納容器において、前記蓋体の上面に、着座面若しくはテーブル面として利用可能な平坦面が設けられていることを特徴とする収納容器。
【請求項３】
請求項１，２いずれか１項に記載の収納容器において、前記滑止部材は隣り合う一対の前記隅部に夫々付設されていることを特徴とする収納容器。
【請求項４】
請求項１〜３いずれか１項に記載の収納容器において、前記滑止部材はシート状であり、前記容器本体の上部開口部に貼設されていることを特徴とする収納容器。
【発明の詳細な説明】
【技術分野】
【０００１】
本発明は、収納容器に関するものである。
【背景技術】
【０００２】
特許文献１等に開示されるような、上部開口部を有する容器本体とこの上部開口部を閉塞する蓋体とから成り、バックルにより容器本体と蓋体とをロックできる収納容器において、近年、蓋体の裏面に格子状に補強リブを形成して十分な剛性を持たせることで、椅子やテーブル代わりにも使用できるようにした（蓋体の上面を着座面やテーブル面として使用できるようにした）アウトドア用の収納容器が種々販売されている。
【先行技術文献】
【特許文献】
【０００３】
【特許文献１】登録実用新案第３０３８３５２号公報
【発明の概要】
【発明が解決しようとする課題】
【０００４】
ところで、上述のようなアウトドア用の収納容器において、蓋体を取り外して上部開口部から物を出し入れする際、取り外した蓋体は、上面を下にして置くと上面（着座面やテーブル面）が汚れ、上面を上にして置くと持ち上げ難く、また、下縁部が汚れてしまう。
【０００５】
そのため、取り外した蓋体を地面上に置いた場合には一々汚れを拭き取る手間がかかるし、また、土が付きにくい場所（例えば土の露出が少なく草が多い場所等）を探したり且つその場所まで一々置きに行ったりするのは面倒である等、取り外した蓋体の置き場に困る場合があった。
【０００６】
本発明は、上述のような現状に鑑みなされたもので、蓋体の裏面の補強リブ部を利用してこの補強リブ部を容器本体の上部開口部の隅部の滑止部材上に載置することで蓋体を容器本体の接地面から浮いた状態で安定的に立て掛けでき、容器本体の上部開口部から物を出し入れする際に取り外した蓋体の置き場に困らない極めて扱い易いこれまでにない収納容器を提供するものである。
【課題を解決するための手段】
【０００７】
添付図面を参照して本発明の要旨を説明する。
【０００８】
上部開口部１を有する容器本体２と、前記容器本体２に着脱自在に取り付けられ前記上部開口部１を開閉する蓋体３とから成り、前記蓋体３の裏面に、前記蓋体３の短辺方向若しくは長辺方向に延設された板状の補強リブ部４・５が前記延設方向と直交する前記蓋体３の長辺方向若しくは短辺方向に複数並設され、前記上部開口部１を開放するために取り外した前記蓋体３のいずれかの前記補強リブ部４・５の側面部を前記容器本体２の上部開口部１に掛け止めることで、前記蓋体３を前記容器本体２に立て掛けられるように構成された収納容器であって、前記容器本体２の上部開口部１の四つの隅部10の少なくともいずれか一箇所には、前記補強リブ部４・５の側面部が載置された際に滑り止め作用を付与する前記容器本体２とは別部材の滑止部材６が付設されており、前記蓋体３の裏面の前記補強リブ部４・５を前記滑止部材６が付設された前記上部開口部１に掛け止めることで、前記蓋体３を前記容器本体２の接地面から浮かせ且つその裏面を内側に向けた浮上状態で前記容器本体２に立て掛けられるように構成されていることを特徴とする収納容器に係るものである。
【０００９】
また、請求項１記載の収納容器において、前記蓋体３の上面に、着座面若しくはテーブル面として利用可能な平坦面７が設けられていることを特徴とする収納容器に係るものである。
【００１０】
また、請求項１，２いずれか１項に記載の収納容器において、前記滑止部材６は隣り合う一対の前記隅部10に夫々付設されていることを特徴とする収納容器に係るものである。
【００１１】
また、請求項１〜３いずれか１項に記載の収納容器において、前記滑止部材６はシート状であり、前記容器本体２の上部開口部１に貼設されていることを特徴とする収納容器に係るものである。
【発明の効果】
【００１２】
本発明は上述のように構成したから、容器本体の上部開口部から物を出し入れする際に取り外した蓋体の置き場に困らない極めて扱い易いこれまでにない収納容器となる。
【図面の簡単な説明】
【００１３】
【図１】本実施例の概略説明斜視図である。
【図２】本実施例の分解概略説明斜視図である。
【図３】本実施例の使用状態の一例を説明する概略説明斜視図である。
【図４】本実施例の使用状態の一例を説明する概略説明斜視図である。
【図５】本実施例の要部の拡大概略説明斜視図である。
【発明を実施するための形態】
【００１４】
好適と考える本発明の実施形態を、図面に基づいて本発明の作用を示して簡単に説明する。
【００１５】
容器本体２の上部開口部１から物を出し入れするに際して取り外した蓋体３を、蓋体３の裏面のいずれかの補強リブ部４・５の側面部を容器本体２の上部開口部１に掛け止める。
【００１６】
ここで、補強リブ部４・５の側面部が容器本体２の上部開口部１の隅部10に設けられた滑止部材６上に載置されることで、滑り止め作用により蓋体３が安定的に容器本体２の上部開口部１に掛け止められ、蓋体３を容器本体２の接地面から浮かせた浮上状態でも良好に容器本体２に立て掛けることができ、従って、蓋体３を地面上に置いたり、土が付きにくい場所を一々探したりすることなく、取り外した蓋体３を極めて容易に汚れない状態で安定的に容器本体２に立て掛けることが可能となる。
【００１７】
具体的には、椅子若しくはテーブルとして使用していた状態から出し入れ作業を行うに際しては、出し入れ作業の邪魔にならない方に蓋体３を開き起こし、起こした蓋体３の補強リブ部４・５の側面部を容器本体２の上部開口部１のいずれかの短辺部若しくは長辺部に掛け止めるだけの最小限の作業で蓋体３を容器本体２に立て掛けることができる（図３，４参照）。
【００１８】
従って、本発明は、極めて簡単に取り外した蓋体３を汚れない場所に置くことができるだけでなく、蓋体３が容器本体２の上部開口部１から物を出し入れする際に邪魔になり難く、出し入れ作業後の上部開口部１の閉塞も極めて容易に行える等、極めて扱い易いものとなる。
【実施例】
【００１９】
本発明の具体的な実施例について図面に基づいて説明する。
【００２０】
本実施例は、図１，２に図示したように、上部開口部１を有する容器本体２と、前記容器本体２に着脱自在に取り付けられ前記上部開口部１を開閉する蓋体３とから成るアウトドア用の収納容器に本発明を適用したものである。
【００２１】
各部を具体的に説明する。
【００２２】
容器本体２は合成樹脂製（ポリプロピレン製）で上部開口部１を有する箱状の一体成形品である。また、蓋体３は合成樹脂製（ポリプロピレン製）の一体成形品である。図中、符号８は取っ手を兼ねるバックル、９はバックル８が係止するバックル受け部である。
【００２３】
容器本体２の上部開口部１の四つの隅部10（角縁）の少なくともいずれか一箇所には、前記補強リブ部４・５の側面部が載置された際に滑り止め作用を付与する前記容器本体２とは別部材の滑止部材６が付設されている。
【００２４】
そして、前記蓋体３の裏面の前記補強リブ部４・５を前記滑止部材６が付設された前記上部開口部１の開口周縁部に掛け止めることで、前記蓋体３を前記容器本体２の接地面から浮かせ且つその裏面を内側に向けた浮上状態で前記容器本体２に立て掛けられるように構成されている。
【００２５】
前記滑止部材６はシート状であり、前記容器本体２の上部開口部１の開口周縁部の隅部10（角縁）に貼設されている。従って、それだけ簡単に付設でき、物の出し入れ等を阻害し難い滑止部材６となる。滑止部材６は容器本体２より摩擦係数の高い素材からなる。また、滑止部材６の上面（補強リブ部４・５の側面部が載置される載置面）には凹凸滑止加工を施しても良い。
【００２６】
本実施例においては、滑止部材６は容器本体２の上部開口部１の角縁に沿う弧状のゴムシートであり、適宜な接着剤により容器本体２の上部開口部１の隅部10の開口周縁部（周壁部の頂面13）に貼着されている。
【００２７】
本実施例においては四つの隅部10に夫々滑止部材６が付設されている。従って、蓋体３の補強リブ部４・５を容器本体２の上部開口部１の長辺側と短辺側のいずれにも良好に掛け止めて安定的に立て掛けることが可能となる。即ち、上部開口部１の短辺側両端部若しくは長辺側両端部の隅部の滑止部材６上に夫々蓋体３の短辺方向に延設される補強リブ部４若しくは長辺方向に延設される補強リブ部５の側面部を選択的に載置することができる。
【００２８】
なお、上記構成に限らず、容器本体２の短辺方向若しくは長辺方向で隣り合う一対の隅部10のみに設ける構成としても良いし、いずれか一つの隅部10にのみ設ける構成としても良い。
【００２９】
蓋体３の上面の中央部には着座面若しくはテーブル面として利用可能な平坦面７が設けられている。また、蓋体３の外周部にはスカート部11が設けられている。図中、符号12は平坦面７とスカート部11との間の中間部である。
【００３０】
即ち、本実施例の蓋体３は、スカート部11が容器本体２の上部開口部１の外周を囲繞するように容器本体２の上部に被嵌される構成である。この蓋体３の裏面側には補強リブ部４・５が格子状に設けられている。
【００３１】
具体的には、前記蓋体３の裏面には、前記蓋体３の短辺方向に延設される板状の補強リブ部４が前記蓋体３の長辺方向に複数並設され、且つ、前記蓋体３の長辺方向に延設される板状の補強リブ部５が前記蓋体３の短辺方向に複数並設され、前記上部開口部１を開放するために取り外した前記蓋体３のいずれかの前記補強リブ部４・５の側面部を前記容器本体２の上部開口部１に掛け止めることで、前記蓋体３を前記容器本体２に立て掛けられるように構成されている。
【００３２】
即ち、蓋体３の短辺方向に延設される補強リブ部４若しくは長辺方向に延設される補強リブ部５のうち、延設方向と直交する前記蓋体３の長辺方向若しくは短辺方向に複数並設されるいずれかの補強リブ部４・５を容器本体２の上部開口部１に選択的に掛け止めることができる。図３は蓋体３の短辺方向に延設される補強リブ部４にして上から５番目（右から５番目）のものを容器本体２の上部開口部１の左側の短辺部に掛け止めた例であり、図４は蓋体３の長辺方向に延設される補強リブ部５にして上から２番目（前から２番目）のものを容器本体２の上部開口部１の後側の長辺部に掛け止めた例である。
【００３３】
補強リブ部４・５は、上面の平坦面７の裏側に形成された中央部４ａ，５ａと、この中央リブ部の両端に夫々位置する前記中間部12及びスカート部11の裏側に形成された端部リブ部４ｂ，５ｂとを有する。端部リブ部４ｂ，５ｂのスカート側（外側）端部には容器本体１の周壁部の上端部が嵌合する嵌合凹部14が形成されている。
【００３４】
上述のように、本実施例の蓋体３は容器本体２の上部に被嵌せしめられる構成であり、容器本体２の上部開口部１の開口周縁部（周壁部の頂面13）と端部リブ部４ｂ，５ｂとが対向し、蓋体３を容器本体２に被嵌した状態では端部リブ部４ｂ，５ｂの下端面（嵌合凹部14の底面）と容器本体２の上部開口部１の開口周縁部（周壁部の頂面13）とが当接する。
【００３５】
そして、本実施例では補強リブ部４・５の端部リブ部４ｂ，５ｂの側面部が容器本体２の上部開口部１の隅部10（角縁）に掛け止められるように構成されている。
【００３６】
従って、本実施例において、椅子若しくはテーブルとして使用していた状態から出し入れ作業を行うに際しては、出し入れ作業の邪魔にならない方に蓋体３を開き起こし、起こした蓋体３の補強リブ部４・５（端部リブ部４ｂ，５ｂ）の側面を容器本体２の上部開口部１のいずれかの短辺部若しくは長辺部に掛け止めるだけの最小限の作業で蓋体３を容器本体２に浮上状態で立て掛けることが可能となり、極めて簡単に取り外した蓋体３を汚れない場所に置くことができるだけでなく、蓋体３が容器本体２の上部開口部１から物を出し入れする際に邪魔になり難く、出し入れ作業後の上部開口部１の閉塞も極めて容易に行える等、極めて扱い易いものとなる。
【００３７】
本発明は、本実施例に限られるものではなく、各構成要件の具体的構成は適宜設計し得るものである。
【符号の説明】
【００３８】
１  上部開口部
２  容器本体
３  蓋体
４・５  補強リブ部
６  滑止部材
７  平坦面
10  隅部
【図１】
2020142818.tif 000003
【図２】
2020142818.tif 000004
【図３】
2020142818.tif 000005
【図４】
2020142818.tif 000006
【図５】
2020142818.tif 000007